(57)【特許請求の範囲】
【請求項１】
一定位置に穿孔される第１の媒体及び任意の位置に穿孔される第２の媒体を搬送する搬送手段と、
磁気ヘッドとこの磁気ヘッドに前記媒体の厚さより狭い隙間を存して対向するローラを有し、前記搬送手段によって搬送される第１或いは第２の媒体を前記磁気ヘッドとローラとの間の隙間に通過させて磁気処理を施す磁気処理部と、
この磁気処理部で磁気処理された第１或いは第２の媒体に穿孔する穿孔手段と、
この穿孔手段により穿孔された前記第１或いは第２の媒体に情報を印刷する印刷手段と、
前記搬送手段によって搬送される第１の媒体を当接させることにより前記穿孔手段に対向する穿孔位置に停止させる第１のストッパと、
この第１のストッパで前記第１の媒体が停止されたのち、前記第１の媒体が前記印刷手段での印刷が可能となる速度まで前記搬送手段の搬送速度を減速させる第１の制御手段と、
この第１のストッパの媒体搬送方向上流側に設けられ、前記搬送手段によって搬送される第２の媒体を当接させて停止させる第２のストッパと、
この第２のストッパで前記第２の媒体が停止されたのち、前記第２の媒体が前記穿孔手段に対向する穿孔位置で停止可能な速度になるまで前記搬送手段の搬送速度を減速させる第２の制御手段と、
を具備することを特徴とする媒体処理装置。
【請求項２】
一定位置に穿孔される第１の媒体及び任意の位置に穿孔される第２の媒体を搬送ベルトにより挟持して搬送する搬送手段と、
磁気ヘッドとこの磁気ヘッドに前記媒体の厚さより狭い隙間を存して対向するローラを有し、前記搬送手段によって搬送される第１或いは第２の媒体を前記磁気ヘッドとローラとの間の隙間に通過させて磁気処理を施す磁気処理部と、
この磁気処理部で磁気処理された第１或いは第２の媒体に穿孔する穿孔手段と、
この穿孔手段により穿孔された前記第１或いは第２の媒体に情報を印刷する印刷手段と、
前記搬送手段によって搬送される第１の媒体を当接させることにより前記穿孔手段に対向する穿孔位置に停止させる第１のストッパと、
この第１のストッパで前記第１の媒体が停止されたのち、前記第１の媒体が前記印刷手段での印刷が可能となる速度まで前記搬送手段の搬送速度を減速させる第１の制御手段と、
この第１のストッパの媒体搬送方向上流側に設けられ、前記搬送手段によって搬送される第２の媒体を当接させて停止させる第２のストッパと、
この第２のストッパで前記第２の媒体が停止されたのち、前記第２の媒体が前記穿孔手段に対向する穿孔位置で停止可能な速度になるまで前記搬送手段の搬送速度を減速させる第２の制御手段と、
前記搬送手段の搬送ベルトが前記穿孔手段で穿孔しない媒体を挟持搬送する場合、或いは第１及び第２のストッパで停止された媒体を再度、挟持搬送する場合、前記搬送ベルトを押圧してその媒体挟持力を高める押圧手段と、
を具備することを特徴とする媒体処理装置。
【発明の詳細な説明】
【技術分野】
【０００１】
本発明は、例えば、自動改札装置として適用される媒体処理装置に関する。
【背景技術】
【０００２】
近年、鉄道等の交通機関の駅には、乗車券媒体の自動改札処理をする自動改札装置が設置されている。自動改札装置では、投入された媒体に記録されている磁気等の情報を読み取り、通過の可否を判断するとともに、必要に応じて媒体に穿孔し、或いは、印刷等の処理を施すようにしている。
【０００３】
通行の判断が不適であれば、自動改札装置の扉を閉じて通行を阻止するとともに、表示パネルや音声案内等により利用者に注意を促している。
【０００４】
この自動改札装置では、媒体に対して情報処理を施すための磁気ヘッドをローラ或いはベルト等からなる搬送経路に取付けている。磁気ヘッドは媒体が磁気ヘッドを通過する際の磁界変化により磁気情報を読取り、また、情報書込磁界を制御することにより、媒体に情報を書き込むようにしている。
【０００５】
媒体に対し良好に磁気情報処理するには、磁気ヘッドのコアを媒体に密着させる必要がある。このため、磁気ヘッドに対し搬送経路を介して媒体の搬送速度と同速度の周速度で回転するゴムローラを取付け、磁気ヘッドとゴムローラとの間に媒体の厚さより狭い隙間を形成し、媒体の通過時に媒体をゴムローラにより押し付けて磁気ヘッドに密着させている。
【０００６】
ところで、上記した磁気ヘッドとゴムローラはベースに直接取付けられている。
【発明の概要】
【発明が解決しようとする課題】
【０００７】
しかしながら、上記した取付け方式では磁気ヘッドとゴムローラとの間の隙間調整をする場合には、ベースに取付けた磁気ヘッドまたは、ゴムローラを直接搬送経路と垂直方向に位置調整しなければならない。このため、磁気ヘッドとゴムローラをその隙間調整を予め完了したユニットとして自動改札装置内に組み込むことができず、保守工程が増えてしまうという問題があった。
【０００８】
また、磁気ヘッドとゴムローラとの間の隙間を媒体が通過する時には、媒体の厚さより狭い隙間を媒体が通過するため、ゴムローラに荷重がかかり、撓みが発生する。この場合、磁気ヘッドとゴムローラのベース側の固定部から遠い部位程、変形量が大きく、媒体の進行方向の左右位置でのヘッドコアとの密着度合いが変わる。このため、磁気の読取出力等に差が発生し、磁気処理に不具合が発生していた。
【０００９】
そこで、磁気ヘッドとゴムローラを予め支持部材により支持し、この支持部材により支持された磁気ヘッドとゴムローラをベースに固定する方式が考えられている。
【００１０】
この方式は、予め、磁気ヘッドとゴムローラとの間の隙間を予め調整したものを自動改札装置内に取付けることができるため、保守工数の削減が可能となった。
【００１１】
しかしながら、この方式でも、磁気ヘッドとゴムローラとの間の隙間を媒体が通過するときは、磁気ヘッドとゴムローラの支持部材から遠い部位程、変形量が大きく、媒体の進行方向の左右位置でのヘッドコアとの密着度合いが変わる。このため、上記した方式と同様に磁気の読取出力等に差が発生し、磁気処理に不具合が発生していた。
【００１２】
一方、自動改札装置には、媒体に穿孔するためのパンチ装置が備えられている。媒体の穿孔は利用情報を告知するために行われるもので、媒体のように固定した位置に穿孔する場合と、ＳＦ券のように任意の場所に穿孔する場合がある。
【００１３】
任意の位置に穿孔する場合、パンチ精度を確保するため、従来は複数のストッパを設け、媒体を複数の特定の場所に停止させて穿孔する方法、または、媒体の搬送をモータ制御により任意の位置に制御して穿孔する方法などがある。
【００１４】
しかしながら、複数のストッパを設けて必要な位置に媒体を停止させて穿孔する方式では、構造、制御が複雑になるという問題があった。
【００１５】
また、モータ制御だけで任意の位置に媒体を停止させる方式では、構造、制御は簡素化できたが、早い搬送速度で搬送している媒体をパンチするために停止するためには、媒体停止までの搬送距離が長く必要となり、装置を小型化とすることが困難であった。
【００１６】
自動改札機の搬送部の寸法は、駅の設置環境、人間の動作速度等から一定の長さに規定され、媒体を減速するための長い搬送路を形成することは困難であった。
【００１７】
本発明は上記事情に着目してなされたもので、その目的とするところは、長い搬送路を必要とすることなく、媒体の搬送速度を減速させて穿孔位置に停止でき、小型化を図ることができるようにした媒体処理装置を提供することを目的とする。
【課題を解決するための手段】
【００１８】
上記の課題を解決するために、請求項１記載の発明は、一定位置に穿孔される第１の媒体及び任意の位置に穿孔される第２の媒体を搬送する搬送手段と、磁気ヘッドとこの磁気ヘッドに前記媒体の厚さより狭い隙間を存して対向するローラを有し、前記搬送手段によって搬送される第１或いは第２の媒体を前記磁気ヘッドとローラとの間の隙間に通過させて磁気処理を施す磁気処理部と、この磁気処理部で磁気処理された第１或いは第２の媒体に穿孔する穿孔手段と、この穿孔手段により穿孔された前記第１或いは第２の媒体に情報を印刷する印刷手段と、前記搬送手段によって搬送される第１の媒体を当接させることにより前記穿孔手段に対向する穿孔位置に停止させる第１のストッパと、この第１のストッパで前記第１の媒体が停止されたのち、前記第１の媒体が前記印刷手段での印刷が可能となる速度まで前記搬送手段の搬送速度を減速させる第１の制御手段と、この第１のストッパの媒体搬送方向上流側に設けられ、前記搬送手段によって搬送される第２の媒体を当接させて停止させる第２のストッパと、この第２のストッパで前記第２の媒体が停止されたのち、前記第２の媒体が前記穿孔手段に対向する穿孔位置で停止可能な速度になるまで前記搬送手段の搬送速度を減速させる第２の制御手段とを具備する。
【００１９】
請求項２記載の発明は、一定位置に穿孔される第１の媒体及び任意の位置に穿孔される第２の媒体を搬送ベルトにより挟持して搬送する搬送手段と、磁気ヘッドとこの磁気ヘッドに前記媒体の厚さより狭い隙間を存して対向するローラを有し、前記搬送手段によって搬送される第１或いは第２の媒体を前記磁気ヘッドとローラとの間の隙間に通過させて磁気処理を施す磁気処理部と、この磁気処理部で磁気処理された第１或いは第２の媒体に穿孔する穿孔手段と、この穿孔手段により穿孔された前記第１或いは第２の媒体に情報を印刷する印刷手段と、前記搬送手段によって搬送される第１の媒体を当接させることにより前記穿孔手段に対向する穿孔位置に停止させる第１のストッパと、この第１のストッパで前記第１の媒体が停止されたのち、前記第１の媒体が前記印刷手段での印刷が可能となる速度まで前記搬送手段の搬送速度を減速させる第１の制御手段と、この第１のストッパの媒体搬送方向上流側に設けられ、前記搬送手段によって搬送される第２の媒体を当接させて停止させる第２のストッパと、この第２のストッパで前記第２の媒体が停止されたのち、前記第２の媒体が前記穿孔手段に対向する穿孔位置で停止可能な速度になるまで前記搬送手段の搬送速度を減速させる第２の制御手段と、前記搬送手段の搬送ベルトが前記穿孔手段で穿孔しない媒体を挟持搬送する場合、或いは第１及び第２のストッパで停止された媒体を再度、挟持搬送する場合、前記搬送ベルトを押圧してその媒体挟持力を高める押圧手段とを具備する。
【発明の効果】
【００２０】
本発明によれば、長い搬送路を必要とすることなく、媒体の搬送速度を減速させて穿孔位置に停止でき、小型化を図ることができる。
【図面の簡単な説明】
【００２１】
【図１】この発明の一実施の形態である自動改札装置を示す斜視図。
【図２】自動改札装置の内部構成を示す概略的構成図。
【図３】自動改札装置の制御系を示すブロック図。
【図４】磁気処理部を示す斜視図。
【図５】磁気処理部を示す正断面図。
【図６】磁気処理部を示す側断面図。
【図７】支軸とベースの係合孔との係合状態を示す図。
【図８】撮み部の係合状態を示す図。
【図９】パンチ装置を示す構成図。
【図１０】パンチ装置の制御系を示すブロック図。
【図１１】媒体の処理動作を示すタイミングチャート図。
【発明を実施するための形態】
【００２２】
以下、本発明の実施の形態について、詳細に説明する。
【００２３】
以下、この発明を図面に示す一実施の形態を参照して詳細に説明する。
【００２４】
図１は、媒体処理装置としての自動改札装置を示す概略図である。
【００２５】
自動改札装置の本体１０には、駅構内への入場時または駅構内からの出場時に乗車券媒体が投入される投入口１２と、この投入口１２で受入れられた乗車券媒体を排出する排出口１４とがそれぞれ設けられている。
【００２６】
投入口１２の近傍には、乗車券媒体の投入を阻止するためのシャッタ（図２参照）が設けられている。このシャッタは、乗車券媒体が投入されてから所定時間後に他の乗車券媒体の投入を所定期間禁止する。このシャッタの働きにより、引き続く利用者により別の乗車券媒体が連続して投入されるのを防ぐ。
【００２７】
投入口１２の前方には、利用者に対して種々の案内を表示する投入口側表示部１６が設けられている。この投入口側表示部１６は、例えば、プリペイドカード等の残額を表示する。
【００２８】
排出口１４の前方には、利用者に対して種々の案内を表示する排出口側表示部１８が設けられている。
【００２９】
自動改札装置２の本体１０の側面部には、閉じることにより乗車券媒体の投入者の通行を阻止するドア部２０が設けられている。
【００３０】
自動改札装置２の本体１０の上部には、自動改札装置本体１０に対応する通路を区分する仕切となるフレーム２２が設けられている。このフレーム２２には、小児券の投入、無効券（後述）または異常券（後述）が投入されたこと、および機器の異常を知らせるための表示器２６が設けられている。
【００３１】
本体１０の側面部とフレーム２２には、利用者が通過したことおよび通過中の動作を検知する検知センサ２４が複数設けられている。検知センサ２４は、利用者の通過を検知するものであり、例えば透過型や反射型等が用いられる。
【００３２】
磁気シートである乗車券媒体は、普通乗車券、定期券、特急券、回数券、乗継券等の媒体とプリペイドカード等のシート状のカード類とに分類される。このような乗車券媒体には所定の情報、例えば有効期限情報および乗車可能区間情報が所定の形式で磁気記録されている。
【００３３】
また、これらの乗車券媒体は、発券される際に、その表面または裏面に発券駅名、発券日時、有効期限等の情報が印刷される。なお、上述した乗車券媒体の中には、自動改札装置を通過する際、すなわち、利用者により自動改札装置に投入され、所定の処理が施されて排出される際に、例えば、入場記録（乗車駅情報）等の所定情報が（自動改札装置２内で）印刷されるものがある。すなわち、プリペイドカードに代表される料金一括先払い方式の乗車券媒体には、自動改札装置により、使用日時、自動改札装置を通過した駅名、プリペイドカードの残額等の情報が印刷される。また、回数券には、使用日時、改札処理時に自動改札装置を通過した駅名等の情報が印刷される。また、乗継券には、乗継時に自動改札装置を通過した乗継駅の駅名、途中下車際入場可能な旨のメッセージ等の情報が印刷される。
【００３４】
なお、無効券とは、他の乗車券媒体と組み合わせても使用できない券のことであり、例えば、有効期限切れの乗車券媒体がこれに該当する。また、異常券とは、自動改札装置で読み取ることができない券であり、例えば、記録形式の異なるクレジットカード、磁気記録が施されていない乗車券がこれに該当する。
【００３５】
図２は、図１に示した自動改札装置２の内部機構を示す概略図である。
【００３６】
投入口１２の下流側近傍には、所定期間の間、引き続く利用者からの投入口１２への新たな乗車券媒体の投入を禁止するシャッタ２８及び乗車券媒体の投入を検知するセンサ５７が設けられている。シャッタ２８の下流側には乗車券媒体を一枚ずつ分離するための分離機構３０が設けられている。分離機構３０と排出口１４との間には、分離機構３０により分離された乗車券媒体を排出口１４に搬送する主搬送路３２が形成されている。
【００３７】
主搬送路３２には、乗車券媒体を搬送する搬送手段として機能する複数の搬送ローラおよび搬送ベルトが配置されている。なお、搬送ローラおよび搬送ベルトは、後述するメインモータ５９によって駆動される。主搬送路３２には、分離機構３０により１枚ずつに分離されて主搬送路３２に沿って搬送される乗車券媒体を整列する整列部３４が設けられている。整列部３４は、投入口１２に投入された乗車券媒体の所定方向を搬送方向とし、かつ任意の辺を基準として乗車券媒体を整列させる。
【００３８】
整列部３４の下流側には、乗車券媒体が、乗車券媒体の入場駅情報や料金情報等が印刷処理される表面を上に向けて、または表面が下に向いた状態のいづれの状態で投入された場合であっても記録されている磁気情報を読み取るための磁気処理部を構成する第１および第２（主搬送路３２を挟む一対）の読取ヘッド３６ａ，３６ｂが主搬送路３２に沿って設けられている。すなわち、乗車券媒体が表面投入された場合には乗車券媒体の磁気記録部が主搬送路３２の下を向くため、主搬送路３２の下方に設けられた読取ヘッド３６ｂによって磁気情報が読み取られる。また、乗車券媒体が裏面投入された場合には、乗車券媒体の磁気記録部が主搬送路３２の上を向くため、主搬送路３２の上方に設けられた読取ヘッド３６ａによって磁気情報が読み取られる。
【００３９】
読取ヘッド３６ａおよび３６ｂの下流側には、後段に設けられる１組の印字ヘッドによる所定事項の書き込みを可能とするために搬送路３２により搬送されている乗車券媒体の表裏を揃えるために利用される反転部３８を含み、複数枚の組み合わせによる乗車券媒体の有効性、例えば、乗車可能区間が連続しているか否かをチェックするために、投入口１２（分離機構３０）に投入された全ての乗車券媒体を一時的に保留する第１保留部３８ａが設けられている。
【００４０】
第１保留部３８ａの下流側には、第１保留部３８ａから放出された乗車券媒体の裏面に設けられている磁気記録領域に所定の磁気情報を記録する磁気処理部を構成する書込ヘッド４０、書込ヘッド４０で記録された情報を確認する読取ヘッド４２、乗車券媒体に穴を開けるパンチ装置４６、乗車券媒体に乗車駅名等を印刷する熱転写式の印刷手段としてのサーマルヘッド４４等が順に配置されている。
【００４１】
主搬送路３２のさらに下流側には、排出口１４に向けて搬送される乗車券媒体を一括して排出口１４に排出するために、主搬送路３２を搬送される全ての乗車券媒体を一時的に保持する第２保留部４８が設けられている。
【００４２】
なお、第２保留部４８には、詳述しない保留部、振分ゲート８０、券検知センサ等が設けられ、排出口１４に排出すべき全ての乗車券媒体が一時的に保留される一方で、回収すべき、例えば普通乗車券あるいは回数乗車券等は、後段に引き続く詳述しない回収部への搬送路５０に向けて分岐される。
【００４３】
図３は自動改札装置の制御系を示すブロック図である。
【００４４】
図中５５はＣＰＵで、このＣＰＵ５５には検知回路５６を介してセンサ５７、搬送制御回路５８を介してメインモータ５９、通過検知回路６１を介して人間検知センサ２４がそれぞれ接続されている。
【００４５】
また、ＣＰＵ５５には、ドア制御回路６２及びドア開閉機構６３を介してドア部２０、表示制御回路６４を介して表示部１６、表示制御回路６５を介して表示器２６がそれぞれ接続されている。さらに、ＣＰＵ５５には、パンチ処理制御回路６６を介してパンチ処理部４６、シャッタ制御回路６７を介してシャッタ２８、一括プール制御回路６８を介して一括プール部３８ａが接続されている。
【００４６】
一方、ＣＰＵ５５にはＲＯＭ６８、ＲＡＭ６９、及び運賃メモリ７０が接続されている。また、ＣＰＵ５５には読取回路７２を介して読取ヘッド３６ａ（３６ｂ）、書込回路７３を介して書込ヘッド４０、読取回路７４を介して読取ヘッド４２がそれぞれ接続されている。さらに、ＣＰＵ５５には振分け制御回路７６を介して振分けゲート８０、サーマルヘッド制御回路７７を介してサーマルヘッド４４がそれぞれ接続されている。また、ＣＰＵ５５には監視盤インターフェース７９を介して監視盤８０が接続されている。
【００４７】
図４は上記した磁気処理部を示す斜視図で、図４はその縦断正面図、図５はその縦断側面図である。
【００４８】
磁気処理部は全て同様に構成されるため、磁気ヘッド３６ａを有する磁気処理部について説明する。
【００４９】
磁気処理部は支持部材８１を介してベース８２に取付けられている。支持部材８１は側板部８３と天板部８４とからなり、磁気ヘッド３６ａとゴムローラ８７が支持されている。磁気ヘッド３６ａとゴムローラ８７との間には媒体の厚さよりも狭い隙間が形成され、この隙間に媒体が通過される。支持部材８１の天井部８４にはゴムローラ８７に対し平行に規制手段としての軸８９が挿通され、この軸８９はバネ９０によりベース８２方向に付勢されている。軸８９の挿入端側は図７に示すように針状に形成され、ベース８２に穿設された係合孔９１内に挿入されている。この軸８９とベース８２の係合孔９１との係合により、磁気ヘッド３６ａとゴムローラ８７との間の隙間に媒体が通過してゴムローラ８７が押し上げれても撓むことがないように規制されるようになっている。
【００５０】
ゴムローラ８７はコ字状をなす保持部９３に保持軸９４を介してベアリング支持されている。コ字状の保持部９３は支軸９５を介して支持部材８１の天井部８４に回動自在に支持されている。
【００５１】
保持軸９４の一端部は支持部材８１の側板８３から突出され、この突出部にはその軸方向にスライド自在に撮み部９７が取付けられている。撮み部９７の内部にはバネ９８が設けられ、このバネ９８により、撮み部９７はゴムローラ８７の方向に付勢されている。撮み部９７の端部には図８に示すように山形の切欠部１００が形成されている。支持部材８１の側板部８３には山形の突起部９９が突設され、この突起部９９は撮み部９７の切欠部１００に嵌め込まれている。
【００５２】
撮み部９７をバネ９８の付勢力に抗して引出すと、撮み部９７の端部の切欠部１００が側板部８３の突起部９９から離脱し、この状態から撮み部９７を矢印方向に移動させると、ゴムローラ８７が支軸９５を中心にして回動し、磁気ヘッド３６ａに対向する第１の位置から対向しない第２の位置に退避される。
【００５３】
一方、支軸９５はバネ材１０１，１０１により下方に付勢され、この付勢によりゴムローラ８７が磁気ヘッド８６に向って付勢されるようになっている。支軸９５の両端部は保持レバー１０３により保持されている。保持レバー１０３の一端側は支軸ピン１０４により回動自在に支持され、他端側は調整ネジ１０５により支持されている。これにより、ゴムローラ８７の保持部９３は吊り下げられた構造をなしている。この構造により、ゴムローラ８７は常に、磁気ヘッド８６方向に付勢され、保持部９３で磁気ヘッド８６とゴムローラ８７間の隙間寸法を任意に調整することが可能となる。
【００５４】
また、磁気ヘッド８６とゴムローラ８７との間にバネ１０１，１０１で支持された力より大きな荷重がかかった場合には、磁気ヘッド８６とゴムローラ８７との間の隙間が開く方向にゴムローラ８７が移動し、噛み込みなどの故障を防ぐことができるようになっている。
【００５５】
図９はパンチ装置４６を詳細に示すもので、磁気処理部及び印刷部に対し直列に配置されている。
【００５６】
パンチ装置４６は媒体を穿孔するパンチ部１０７及びこのパンチ部１０７に媒体を挟持搬送する上下部の搬送ベルト１０８，１０９を備えている。
【００５７】
パンチ部１０７の下方部には媒体を停止させてパンチ部１０７に対向させる第１のストッパとしてのパンチストッパ１１１が設けられ、このパンチストッパ１１１の媒体搬送方向上流側には媒体を停止させる第２のストッパとしての減速ストッパ１１２が設けられている。減速ストッパ１１２の上部側には上下動自在に押圧手段としてのグリップローラ１１５が設けられ、グリップローラ１１５により上下部の搬送ベルト１０８，１０９の挟持力が高められるようになっている。
【００５８】
また、主搬送路３２中には磁気処理された媒体のベリファイ後の媒体を検知するベリファイ後検知センサ１１７、媒体のパンチ前の位置を検知するパンチ前位置センサ１１８、パンチ後の媒体を検知するパンチ後検知センサ１１９、印刷前の媒体を検知する印刷前検知センサ１２０が配設されている。
【００５９】
図１０はパンチ装置４６の制御系を示すブロック図、図１１はそのタイミングチャート図である。
【００６０】
図中１２２は制御手段で、この制御手段１２２に信号路を介して磁気ベリファイ後検知センサ１１７、パンチ前検知センサ１１８、パンチ後検知センサ１１９及び印刷前検知センサ１２０が接続されている。また、制御手段１２２には制御回路を介して搬送ベルト１０８，１０９の駆動モータ１２３、パンチストッパ１１１の第１の駆動ソレノイド１２５、減速ストッパ１１２の第２の駆動ソレノイド１２６が接続されている。
【００６１】
さらに、制御手段１２２には制御回路を介してサーマルヘッド４４の第３の駆動ソレノイド１２７及びパンチ部１０７が接続されている。
【００６２】
次に、媒体に対するパンチ動作について説明する。
【００６３】
（１）普通乗車券等のエドモンソン券にパンチする場合について説明する。
【００６４】
普通乗車券が駆動モータ１２３により通常の速度で走行される搬送ベルト１０８，１０９の走行により挟持搬送され、パンチ前検知センサ１１８により検知されると、制御手段１２２により、第１の駆動ソレノイド１２５を励磁される。この励磁によりパンチストッパ１１１が動作されて搬送路３２中に突出される。これにより、普通乗車券はパンチストッパ１１１に当接して上下部の搬送ベルト１０８，１０９間で滑ることにより停止される。この停止後、パンチ部１０７が動作されて普通乗車券を穿孔する。普通乗車券に対する穿孔後、搬送ベルト１０８，１０９の走行速度を印刷可能な速度まで減速し、しかるのち、第１の駆動ソレノイド１２５を消磁してパンチストッパ１１１を搬送路３２から退避させる。これにより、普通乗車券が搬送されてパンチ後検知センサ１１９により検知されると、サーマルヘッド押圧信号が出され、印刷前検知センサ１２０により検知されると、所定のタイミングで第３の駆動ソレノイド１２７が励磁されてサーマルヘッド４４が動作されて普通乗車券に押圧され、ついで、サーマルヘッド４４が発熱されて印字が行われる。
【００６５】
（２）ＳＦカードを穿孔する場合について説明する。
【００６６】
ＳＦカードが磁気ベリファイ後検知センサ１１７により検知されると、制御手段１２２により搬送ベルト１０８，１０９が通常の速度で走行されるとともに、第２の駆動ソレノイド１２６が励磁されて減速ストッパ１１２が動作されて搬送路３２中に突出される。これにより、ＳＦカードは減速ストッパ１１２に当接して上下部の搬送ベルト１０８，１０９間で滑ることにより停止される。この停止後、パンチ位置にＳＦカードが停止可能となる速度まで搬送ベルト１０８，１０９の走行速度を減速させる。この減速により、ＳＦカードがパンチ位置に停止可能な速度に到達したら、第２の駆動ソレノイド１２５を消磁させて減速ストッパ１１２を搬送路３２から退避させてＳＦカードを搬送させる。この搬送によりＳＦカードが所望する任意の位置に達したら停止させ、パンチ部１０７を動作させてＳＦカードを穿孔する。この穿孔後、搬送ベルト１０８，１０９の走行速度を印刷速度まで加速してＳＦカードを搬送し、パンチ後検知センサ１１９により検知されると、サーマルヘッド押圧信号が出され、印刷前検知センサ１２０により検知されると、所定のタイミングで第３の駆動ソレノイド１２７が励磁される。これにより、サーマルヘッド４４が動作されてＳＦカードに押圧され、ついで、サーマルヘッド４４が発熱されて印字が行われる。
【００６７】
ところで、この実施の形態では、搬送経路が媒体先端をパンチストッパ１１１、或いは減速ストッパ１１２に当接させることにより、保留部として機能されるため、搬送ベルト１０８，１０９で媒体を挟持する力を強くできない。
【００６８】
しかし、媒体を搬送する場合、つまり、パンチ処理をしない媒体、或いは、パンチのために保留した媒体を再度、搬送させる場合には、搬送ベルト１０８，１０９と媒体との間の挟持力を確保する必要がある。
【００６９】
そこで、この実施の形態では、減速ストッパ１１２の上流側にグリップローラ１１５を設け、このグリップローラ１１５により、搬送ベルト１０８，１０９を押圧することにより、媒体の搬送力を確保するようにしている。グリップローラ１１５は専用のアクチュエータで動作される。
【００７０】
上記したように、この実施の形態によれば、磁気ヘッド３６ａとゴムローラ８７との間を媒体が通過する際、ゴムローラ８７の一端側が磁気ヘッド３６ａから離間する方向へ撓むことを規制する規制軸８９を備えるから、磁気ヘッド３６ａとゴムローラ８７との間の隙間寸法の変化を極力抑えることができ、磁気処理を良好に行うことができる。
【００７１】
また、ゴムローラ８７を磁気ヘッド３６ａに向って弾性的に付勢する逃がし手段としてのバネ材１０１，１０１を有し、磁気ヘッド３６ａとゴムローラ８７との間に導入される媒体の厚さに応じてバネ材１０１，１０１の付勢力に抗してローラ８７を磁気ヘッド３６ａから離間する方向へ逃がすから、磁気ヘッド３６ａとゴムローラ８７との間に媒体を噛み込んでしまうことを防止することができる。
【００７２】
また、ゴムローラ８７を磁気ヘッド３６ａに対向する第１の位置と磁気ヘッド３６ａに対向しない第２の位置との間で移動自在に支持する支軸９５を備えるから、清掃等の点検時等にはゴムローラ８７を第２の位置に移動させて退避でき、作業性を向上させることができる。
【００７３】
また、減速ストッパ１１２で普通乗車券を停止させて、普通乗車券が穿孔手段に対向する穿孔位置で停止可能な速度になるまで搬送ベルト１０８，１０９の搬送速度を減速させるから、短い搬送距離で、所望する穿孔位置に普通乗車券を搬送して停止でき、小型化を図ることができる。
【００７４】
さらに、搬送ベルト１０８，１０９を押圧してその媒体挟持力を高めるグリップローラ１１５を備えるから、搬送ベルト１０８，１０９がパンチ部１０７で穿孔しない媒体を搬送する場合、或いはパンチストッパ１１１、減速ストッパ１１２で停止された媒体を再度搬送する場合等には、媒体を確実に搬送することができる。
【符号の説明】
【００７５】
３２…主搬送路、３６ａ…磁気ヘッド（磁気処理部）、４４…印刷ヘッド（印刷手段）、４６…パンチ装置（穿孔手段）、８１…支持部材、８２…ベース、８７…ゴムローラ
８９…軸（規制手段）、９０…バネ、９１…係合孔、３…保持部、９４…保持軸、９５…支軸、９８…バネ、１０１…バネ材（付勢部材）、１０５…調整ネジ（調整手段）、１０７…パンチ部、１０８…搬送ベルト（搬送手段）、１０９…搬送ベルト（搬送手段）、１１１…パンチストッパ（第１のストッパ）、１１２…減速ストッパ（第２のストッパ）、
１１５…グリップローラ（押圧手段）、１２２…制御手段。
【図１】
0004966340.tif 000002
【図２】
0004966340.tif 000003
【図３】
0004966340.tif 000004
【図４】
0004966340.tif 000005
【図５】
0004966340.tif 000006
【図６】
0004966340.tif 000007
【図７】
0004966340.tif 000008
【図８】
0004966340.tif 000009
【図９】
0004966340.tif 000010
【図１０】
0004966340.tif 000011
【図１１】
0004966340.tif 000012